(57)【要約】【課題】周回方向の冗長度を低下させることなしに、サーボエリアに対してトラッキングマークと共にアドレス情報を記録し、それによってする。【解決手段】グルーブに沿ってトラックが形成され、セグメント毎にサーボ情報エリアが間欠的に設けられ、サーボ情報エリアの前後にデータ情報エリアが形成されている。データ情報エリアのトラックピッチＴｐは、光学的な遮断周波数より高い周期とされている。トラッキングマークＰ１が偶数トラックの延長線上に形成され、トラッキングマークＰ２が奇数トラックの延長線上に形成されている。セグメントアドレスは、１周の回転方向の位置を示すもので径方向では一定の値である。トラッキングマークＰ２の後側のデータ情報エリアのグルーブのエッジの位置によってセグメントの回転方向の位置情報、すなわち、セグメントアドレス情報の１ビットが表される。【選択図】  図７
2004213822.tif 000002
【特許請求の範囲】
【請求項１】
ディスク基板上の情報記録面に所定のトラックピッチ毎に環状にトラックが設けられた光ディスクにおいて、
トラックは、グルーブに沿って形成され、上記トラックが情報信号用のデータエリアと、上記データエリアの一部に周回方向に沿って間欠的に配置された複数のサーボエリアとを有し、
上記データエリアにおけるトラックピッチがスポット光の光学的な遮断周波数より高い周期とされ、
上記複数のサーボエリアのそれぞれにおいて、トラッキング検出用のトラッキングマークが予め記録されていると共に、上記データエリアの先頭あるいは後端のグルーブのエッジ位置によって周回方向の分割単位の位置情報が予め記録されている光ディスク。
【請求項２】
請求項１において、
上記トラッキングマークは、周回方向において所定の距離離れて、予め物理的に形成された第１および第２のマークからなり、
上記第１および第２のマークは、それぞれディスク径方向において、２トラック周期で設けられ、且つ上記ディスク径方向の上記第１および第２のマークの位相が異なるものとされた光ディスク。
【請求項３】
請求項１において、
同一の半径方向では、複数のグルーブの上記エッジ位置が同一とされている光ディスク。
【請求項４】
請求項１において、
周回方向で連続する複数のサーボエリアにそれぞれ含まれるグルーブの上記エッジ位置によって複数ビットからなる上記分割単位の位置情報が表される光ディスク。
【請求項５】
請求項１において、
さらに、上記サーボエリアに含まれる上記トラッキングマークの長さによってトラック位置情報が予め記録されている光ディスク。
【請求項６】
請求項５において、
隣り合う２本のトラックの一方の延長線上に一方のトラック位置情報が記録され、上記２本のトラックの他方の延長線上に他方のトラック位置情報が記録され、周回方向において、上記一方のトラック位置情報が記録される上記サーボエリアと上記他方のトラック位置情報が記録される上記サーボエリアとが分離されている光ディスク。
【請求項７】
ディスク基板上の情報記録面に所定のトラックピッチ毎に環状に設けられたトラックに対してディジタル情報を光学的に記録し、または上記トラックからディジタル情報を光学的に読み取るようにした光ディスク装置において、
光ディスクのトラックは、グルーブに沿って形成され、上記トラックが情報信号用のデータエリアと、上記データエリアの一部に周回方向に沿って間欠的に配置された複数のサーボエリアとを有し、
上記データエリアにおけるトラックピッチがスポット光の光学的な遮断周波数より高い周期とされ、
上記複数のサーボエリアのそれぞれにおいて、トラッキング検出用のトラッキングマークが予め記録されていると共に、上記データエリアの先頭あるいは後端のグルーブのエッジ位置によって周回方向の分割単位の位置情報が予め記録されており、
上記光ディスク上に照射されたレーザビームの戻り光を検出することによって、読み取り出力を発生する分割フォトディテクタと、
上記分割フォトディテクタの出力信号から再生信号を検出するデータ検出手段と、
上記分割フォトディテクタの出力信号からトラッキングエラー信号を生成し、読み取り位置を補正するトラッキング制御手段と、
上記分割フォトディテクタの出力信号から上記分割単位の位置情報を検出する位置情報検出手段とを有する光ディスク装置。
【発明の詳細な説明】
【０００１】
【発明の属する技術分野】
この発明は、サンプルサーボ方式の光ディスクおよび光ディスク装置に関する。
【０００２】
【従来の技術】
従来の光ディスクにおいては、情報記録面にスパイラルまたは同心円状に形成された記録トラックに沿って光ピックアップからの光スポットをトラッキングさせることにより、この光スポットの戻り光を光検出器で検出し、情報記録面に形成されたピットを読み取ることにより、情報の記録や再生を行うようにされている。そして、トラッキングに際し、光ディスクの情報記録面に形成された案内溝としてのグルーブあるいはピットによる光スポットの戻り光を検出することにより、トラッキングエラー信号を生成し、このトラッキングエラー信号に基づいて光ピックアップのトラッキングサーボをかけることにより、適正なトラッキング状態を確保している。
【０００３】
このようなトラッキングエラー信号の検出方法やトラッキングサーボの方法等については各種の方式が種々提案され、実用化されているが、その中にディスクの周回方向（トラック方向とも称される）にトラッキングエラー信号検出用の複数のサーボ情報エリアを間欠的に設けるサンプルサーボ方式が知られている。サンプルサーボ方式の一例では、エンボス加工等により予め設けられた３個のピットを含むサーボ情報エリアを周回方向に一定の間隔で設ける。一つのピットは、各トラックのセンターと一致する位置に設けられ、周回方向においてその前後に設けられた二つのピットは、トラックセンターに対して、ディスク径方向に一定の距離で、且つ逆方向に離された位置にそれぞれ設けられる。この二つのピットは、ウォブリングピットと称される。
【０００４】
記録／再生用のレーザビームスポットが二つのウォブリングピットを走査する時に発生する読み取り信号のレベルが互いに等しくなるように、読み取り位置が制御される。また、トラックセンター上に形成されたピットの読み取り信号を利用して、再生クロックを安定して生成することができる。
【０００５】
トラックセンターに対する二つのウォブリングピットの位置は、トラックピッチをＴｐとすると、第１のウォブリングピットは、トラックセンターに対してディスク径方向の一の方向（例えば内側）に例えば１／４・Ｔｐずれた場所にエンボス加工により形成され、第２のウォブリングピットは、トラックセンターに対してディスク径方向の他の方向（例えば外側）に例えば１／４・Ｔｐずれた場所にエンボス加工により形成される。レーザビームのスポットがこれらのマークを横切った時の再生信号のレベルが等しくなるように、レーザビームの読み取り位置を制御することによって、読み取り位置をトラックセンターに一致させることができる。
【０００６】
一般的に、記録密度を高くするためにトラックピッチを狭くすることが望ましい。データ領域においては、例えばＭＳＲ（Ｍａｇｎｅｔｉｃａｌｌｙ  Ｉｎｄｕｓｅｄ  Ｓｕｐｅｒ  Ｒｅｓｏｌｕｔｉｏｎ：磁気超解像）等の方法で、トラックピッチがスポット光の光学的な遮断周波数より高くても、データを再生することを可能とできる。しかしながら、サーボ情報エリア内では、二つのピットのディスク径方向の間隔が狭いと、二つのピットの再生信号に基づくトラッキングエラーの検出が困難になる。
【０００７】
遮断周波数ｆｃは、変調度が０となる周波数である。対物レンズのＮＡ（Ｎｕｍｅｒｉｃａｌ  Ａｐｅｒｔｕｒｅ）とレーザ波長λによって決定され、ｆｃ＝２ＮＡ／λ（本／ｍｍ）と表される。
【０００８】
そこで、トラック密度を高くした時に正常なトラッキングサーボを行うことを可能とした光ディスクが下記の特許文献１に説明されている。
【０００９】
【特許文献１】
特開平１０−７９１３０号公報
【００１０】
この文献では、二つのウォブリングピット（以下、トラッキングマークと適宜称する）をディスク径方向で２トラック周期で形成し、且つ各トラッキングマークの形成される位置が１８０°位相が異なるものとされる。図１は、２トラック周期でトラッキングマークを形成する一例を示し、破線の四角の部分を拡大して示す。光ディスク１には、スパイラル状または同心円状のグルーブに沿って記録トラックが設けられている。記録トラックの周回方向に、所定数のサーボ情報エリアが設けられ、このサーボ情報エリアを用いてトラッキングサーボが行われる。
【００１１】
データ情報エリアでは、全ての記録トラックに対応して連続するグルーブが形成され、サーボ情報エリアでは、前と後がミラー部で囲まれた互いに隣接する２本の記録トラックのうちの１本の記録トラックのグルーブが各サーボ情報エリア毎に規則的に１本間引かれる。図１に示す例では、サーボ情報エリアは、光ディスクの内周側から外周側にかけて、それぞれ周回方向の同一角度位置に形成され、放射方向の線Ｓ１、Ｓ２、Ｓ３、・・・で示すような直線上の領域に配置されている。
【００１２】
サーボ情報エリアにおいて、第１のトラッキングマークＰ１が奇数トラックのトラックセンター上に形成され、第２のトラッキングマークＰ２が偶数トラックのトラックセンター上に形成されている。２トラック周期で各トラッキングマークを形成することによって、ディスク径方向でトラッキングマークの間隔が２Ｔｐとなり、各トラッキングマークに対応して充分なレベルの再生信号を得ることができる。
【００１３】
図２に示すように、トラッキングマークを全体として、１／２ＴｐずらしてトラッキングマークＰ１およびＰ２をそ形成し、各トラッキングマークの位相を１８０°異ならせるようにしても良い。
【００１４】
図１に示すように、トラックおよびトラッキングマークが形成されている場合に、Ａ，ＢおよびＣのそれぞれの位置でレーザビームのスポットＬｓを照射することで得られるプッシュプル信号の振幅変化を図３に示す。例えばスポットＬｓの直径を２Ｔｐと仮定している。図３において、縦軸が正規化された振幅を示し、横軸がスポットＬｓの中心の正規化された半径位置、すなわち、トラックセンターと一致する位置を０とした場合の径方向の偏差を示す。半径位置は、トラックピッチＴｐで正規化されている。すなわち、１の値がＴｐを意味する。プッシュプル信号は、周回方向に一致した線を挟んで分割された二つの受光領域を有する受光素子によって戻り光を受光し、各受光領域の受光信号の差を演算することで得られる。
【００１５】
図３に示すように、データ情報エリア内のＡの位置で得られるプッシュプル信号の振幅は、半径位置と無関係に０であり、サーボ情報エリア内のＢの位置およびＣの位置のそれぞれで得られるプッシュプル信号の振幅は、半径位置の０，１，２，・・・で０となり、半径位置の０．５，１．５，・・・で最大となるものである。これらのＢの位置およびＣの位置のそれぞれで得られるプッシュプル信号は、逆相の信号であり、Ｂの位置で得られるプッシュプル信号からＣの位置で得られるプッシュプル信号を減算するとによって、トラッキングエラー信号が形成される。
【００１６】
また、図２に示すように、トラッキングマークが全体に径方向にトラックピッチの半分ずれた配列の場合は、マーク上のスポット光の和信号（全戻り光量）を検出することにより、トラッキングエラー信号の生成を行うことができる。図４は、図２に示すように、トラックおよびトラッキングマークが形成されている場合に、Ａ，ＢおよびＣのそれぞれの位置でレーザビームのスポットＬｓを照射することで得られる和信号の振幅変化を示す。例えばスポットＬｓの直径を２Ｔｐと仮定している。図４において、縦軸が正規化された振幅を示し、横軸がスポットＬｓの中心のトラックピッチＴｐで正規化された半径位置を示す。和信号は、分割されている複数の受光領域の受光信号を加算することで得られる。
【００１７】
図４に示すように、データ情報エリア内のＡの位置で得られる和信号の振幅は、半径位置と無関係に一定であり、サーボ情報エリア内のＢの位置およびＣの位置のそれぞれで得られる和信号の振幅は、半径位置に応じて変化する。Ｂの位置で得られる和信号からＣの位置で得られる和信号を減算するとによって、トラッキングエラー信号が形成される。
【００１８】
また、サーボ情報エリアには、セグメントアドレス情報およびトラックアドレス情報が記録される。セグメントは、光ディスク上のデータ単位の最小のものを意味しており、トラックは、所定数のセグメントからなる１周分のデータ単位を意味している。例えば図５に示すように、トラッキングマークＰ１，Ｐ２が形成されるサーボ情報エリア内で、トラッキングマークＰ２とデータ情報エリアとの間に１個のアドレスマークＰ１１（例えばエンボス加工によるピット）を形成することが提案されている。このアドレスマークＰ１１は、セグメントアドレスの例えば１ビットに対応している。また、図示しないが、セグメントアドレス情報が記録されるサーボ情報エリアと異なるサーボ情報エリアに対してトラックアドレス情報を表すアドレスマークが形成される。
【００１９】
【発明が解決しようとする課題】
このようなアドレス情報に専用マークを設ける方法は、アドレスマークの有無を判定するために、アドレスマークの前後にマークが形成されないミラー部を設ける必要がある。すなわち、空間的に３ビット分以上を必要としている。その結果、アドレスマークおよび前後のミラー部によって、周回方向の記録密度が下がる問題があった。また、トラックアドレスのアドレス情報をセグメントアドレスを記録したのと異なるサーボ情報エリア内に、アドレスマークＰ１１と同一の位置に記録している。そのために、セグメントアドレスとトラックアドレスとを分離して検出する処理が必要とされ、アドレス検出の信頼性が低下するおそれがあった。
【００２０】
したがって、この発明の目的は、記録密度を向上でき、且つ適正なアドレスの検出を行うことが可能な光ディスクおよび光ディスク装置を提供することにある。
【００２１】
【課題を解決するための手段】
上述した課題を解決するために、請求項１の発明は、ディスク基板上の情報記録面に所定のトラックピッチ毎に環状にトラックが設けられた光ディスクにおいて、
トラックは、グルーブに沿って形成され、トラックが情報信号用のデータエリアと、データエリアの一部に周回方向に沿って間欠的に配置された複数のサーボエリアとを有し、  データエリアにおけるトラックピッチがスポット光の光学的な遮断周波数より高い周期とされ、
複数のサーボエリアのそれぞれにおいて、トラッキング検出用のトラッキングマークが予め記録されていると共に、データエリアの先頭あるいは後端のグルーブのエッジ位置によって周回方向の分割単位の位置情報が予め記録されている光ディスクである。
【００２２】
請求項７の発明は、ディスク基板上の情報記録面に所定のトラックピッチ毎に環状に設けられたトラックに対してディジタル情報を光学的に記録し、またはトラックからディジタル情報を光学的に読み取るようにした光ディスク装置において、
光ディスクのトラックは、グルーブに沿って形成され、トラックが情報信号用のデータエリアと、データエリアの一部に周回方向に沿って間欠的に配置された複数のサーボエリアとを有し、
データエリアにおけるトラックピッチがスポット光の光学的な遮断周波数より高い周期とされ、
複数のサーボエリアのそれぞれにおいて、トラッキング検出用のトラッキングマークが予め記録されていると共に、データエリアの先頭あるいは後端のグルーブのエッジ位置によって周回方向の分割単位の位置情報が予め記録されており、
光ディスク上に照射されたレーザビームの戻り光を検出することによって、読み取り出力を発生する分割フォトディテクタと、
分割フォトディテクタの出力信号から再生信号を検出するデータ検出手段と、
分割フォトディテクタの出力信号からトラッキングエラー信号を生成し、読み取り位置を補正するトラッキング制御手段と、
分割フォトディテクタの出力信号から分割単位の位置情報を検出する位置情報検出手段とを有する光ディスク装置である。
【００２３】
この発明では、データエリアの先頭あるいは後端のグルーブのエッジ位置によって周回方向の分割単位例えばセグメントの位置情報が予め記録されている。したがって、図５に示す例のように、マークの前後にミラー部を配置するのと異なり、周回方向の記録密度を向上できる。
【００２４】
【発明の実施の形態】
以下、この発明の一実施形態について図面を参照して説明する。一実施形態による光ディスクは、例えばＭＯ（Ｍａｇｎｅｔｏ  Ｏｐｔｉｃａｌ：光磁気）ディスクであって、その情報記録面にスパイラル状または同心円状にトラックが形成されたものである。データ情報エリアにおいては、全ての記録トラックに対応して連続するグルーブが形成されている。グルーブに沿ってディジタル信号が記録される。
【００２５】
グルーブは、読み取りのためのレーザ光が入射される側に近い面であり、グルーブとグルーブの間がランドと称される。一実施形態では、グルーブ内にディジタル信号が記録されるが、グルーブおよびランドの両方にディジタル信号を記録するようにしても良い。記録トラックのピッチは、スポット光の光学的遮断周波数より高い周期とされ、例えばＭＳＲによって記録データを読み取ることが可能とされている。なお、この発明は、ＭＯに限らず，相変化型光ディスク等の他の種類の光ディスクに対しても適用でき、さらに、再生専用の光ディスクに対しても適用できる。
【００２６】
サーボ情報エリアがデータ単位であるセグメント毎に設けられている。光ディスク上では、サーボ情報エリアが放射方向に整列して設けられる。サーボ情報エラーには、後述するように、トラッキングマークおよびアドレスマークが形成される。これらのマークは、グルーブと同様に所定の深さを有するピットがデータの値に対応して形成されている。マークが形成されないサーボ情報エリアには、ミラー面が形成されている。グルーブおよびマークは、マスタリング、成形および成膜の工程にように、光ディスクの基板上に予め形成されている。
【００２７】
一実施形態による光ディスクの理解を容易とするために、最初に図６を参照して光ディスクに記録されるデータのデータ構造について説明する。１トラックには、図６Ａに示すように、例えば２１００個のセグメントが含まれる。したがって、光ディスクの１周が２１００個の領域に等しい角度で分割される。なお、光ディスクの内周側から外周側に向かって複数のゾーンを形成し、各ゾーンで角速度または線速度を一定とするゾーンＣＡＶまたはゾーンＣＬＶに対してもこの発明を適用できる。例えばゾーンＣＡＶの光ディスクの場合では、ゾーン内で１周が等しい角度にセグメント数に等しいエリアに分割される。
【００２８】
２１００個のセグメントに対応して０〜２０９９のセグメント番号が付される。１トラックの全セグメントが９個のセグメント毎に区切られる。９セグメントの単位がブロックと称される。１セグメントに対して１個のサーボ情報エリアが含まれている。後述するように、１個のサーボ情報エリアに、２個のトラッキングマークと、１個のアドレスマークが含まれる。
【００２９】
図６Ｂに示すように、トラック上で連続する９個のセグメントの各サーボ情報エリアには、９個のアドレスマークが含まれる。図６Ｃに示すように、トラックの先頭の８個のアドレスマークが全て”０”とされ、その後の９番目のアドレスマークがＸ（Ｘは、”０”または”１”の何れかを意味する）とされる。トラックの第２番目の連続する９個のセグメントの内の８個のアドレスマークが最下位ビットのみが”１”とされ、他の７ビットが”０”とされる。９番目のアドレスマークによってビットＸが記録される。
【００３０】
図６Ｄに示すように、１トラックの先頭から９個のセグメントからなるブロックのアドレス（８ビット）によって、昇順のブロック番号が生成される。先頭のブロック番号が０とされ、１トラックの最後のブロック番号が２３１とされる。すなわち、２１００／９＝２３２（余り１２セグメント）の関係とされている。ブロック番号とブロック内のセグメント位置によって、セグメント番号が表される。
【００３１】
図６Ｅに示すように、トラックアドレスは、例えば１５ビット長とされる。各ブロックの９番目のセグメントに含まれるアドレスマークがトラックアドレスの１ビットを表現する。したがって、トラック上で連続する１５ブロックのそれぞれから取り出されたアドレスマークの表現する１５ビットによってトラックアドレスが構成される。図６Ｅの例では、１５ビットの全てが”０”のトラックアドレスが示されている。
【００３２】
エラー対策のために同一のトラックアドレスが１トラック内に繰り返し記録される。１トラックが２３２ブロックであるので、同一のトラックアドレスが７回繰り返して記録される。２３２／１５＝１５（余り７）の関係から１５回の多重記録が可能であるが、後述するように、奇数トラックのトラックアドレスと、偶数トラックのトラックアドレスとを分離して記録しているので、多重記録の回数が半分の７回となる。
【００３３】
上述したように、この発明の一実施形態では、トラック上で連続する９個のセグメントの８個のサーボ情報エリアには、セグメントアドレス情報を表すセグメントアドレスマークが記録され、９番目のサーボ情報エリアには、トラックアドレス情報を表すトラックアドレスマークが記録されている。なお、上述した数値例は、一例であり、１枚の光ディスクに含まれるトラックの総数、１トラック当りのセグメントの総数等を考慮して適切な数値が選定される。また、エラー対策のために、アドレス情報に対してエラー検出符号またはエラー訂正符号の符号化を行うようにしても良い。
【００３４】
以下、一実施形態におけるサーボ情報エリアについて説明する。図７は、光ディスク１０の破線の四角の部分を拡大して示す。サーボ情報エリアは、光ディスク１０の内周側から外周側にかけて、それぞれ周回方向の同一角度位置に形成され、放射方向の線Ｓ１、Ｓ２、Ｓ３、・・・で示すような直線上の領域に配置されている。
【００３５】
光ディスク１０には、スパイラル状または同心円状のグルーブに沿って記録トラックが形成されている。一例としてグルーブ内にディジタル信号が記録される。トラックのグルーブに周回方向に、セグメント毎に例えば２１００個のサーボ情報エリアが間欠的に設けられ、サーボ情報エリアの前後にデータ情報エリアが形成されている。データ情報エリアにおける記録トラックのトラックピッチＴｐは、スポット光の光学的な遮断周波数より高い周期とされている。
【００３６】
データ情報エリアでは、全ての記録トラックに対応して連続するグルーブが形成され、サーボ情報エリアでは、グルーブが形成されない。したがって、各トラックの両端部には、ミラー部が存在する。また、データ情報エリアのグルーブの延長線上にトラッキングマークおよびアドレスマークが形成される。一例として、トラッキングマークＰ１が偶数トラックのトラックセンターの延長線上に形成され、トラッキングマークＰ２が奇数トラックのトラックセンターの延長線上に形成されている。２トラック周期で各トラッキングマークを形成することによって、ディスク径方向でトラッキングマークの間隔が２Ｔｐとなり、トラックピッチＴｐが光学系の遮断周波数より高くとも、径方向の変位に対する変調信号を得ることができる。
【００３７】
そして、例えばトラッキングマークＰ２の位置でのプッシュプル信号をサンプルホールドすることによって、１周で２１００個の離散的なトラッキングエラー信号が生成される。さらに、データ情報エリア内の位置でのプッシュプル信号をサンプルホールドすることによって、ディスク径方向で位相が１８０°ずれたトラッキングエラー信号が得られる。これらの二つのトラッキングエラー信号の差分を取ることによって、光ディスクのチルトやレンズ位置による視野の影響の少ないトラッキングエラー信号を時分割で得ることができる。
【００３８】
なお、光ディスク１０の周回方向の位置およびマークの長さは、記録時の基準クロック信号に基づいて規定されている。また、光ディスク１０を再生した時には、再生信号（和信号）から記録時と同様の位相の基準クロック信号が抽出され、この基準クロック信号に基づいて周回方向の所定位置の信号のレベルを検出することができる。
【００３９】
次に、セグメントアドレスとトラッキングアドレスの情報の配置について説明する。図７は、１ブロック内の９個のセグメントの中で８個のセグメントに対応して形成されるサーボ情報エリアの構成を示しており、セグメントアドレスマークが形成されている。セグメントアドレスは、１周の回転方向の位置を示すもので径方向では一定の値である。したがって、データ情報エリアの全グルーブエッジの位置が各セグメントごとに１クロック分前後される。
【００４０】
レーザビーム光スポットＬｓが走査する順序を基準として、トラッキングマークＰ２の後側のデータ情報エリアの記録トラックのグルーブのエッジの位置によってセグメントの回転方向の位置情報、すなわち、セグメントアドレス情報の１ビットが表される。
【００４１】
トラッキングマークＰ２の後側エッジと記録トラックのグルーブの前側エッジとの間隔を狭くするエッジ位置１のグルーブＧ１と、この間隔をより広くするエッジ位置０のグルーブＧ０とが設定される。例えばエッジ位置１がセグメントアドレスの１ビットの”１”と対応し、エッジ位置０がその”０”と対応する。図６を参照して説明したように、セグメントアドレスは、８ビット長であり、セグメントアドレスの各ビットがセグメント番号０から７までの各グルーブのエッジ位置として記録されている。
【００４２】
図８は、奇数トラックのトラックアドレス情報を記録する場合のサーボ情報エリアの配置を示す。トラックアドレスは、例えば１５ビット長であり、９セグメント単位（すなわち、ブロック）のセグメント番号８のセグメントにのみ記録される。奇数トラックのトラックアドレス情報は、トラッキングマークＰ２の長さとして記録される。トラックアドレスの値は、径方向で隣接するトラック間で異なるので、１トラックおきに記録される。
【００４３】
図８は、奇数トラックの延長上に形成されるトラッキングマークＰ２の長さをトラックアドレスの１ビットに対応して変化させた配置を示している。各ブロックのセグメント番号が８の位置を示すために、エッジが０の位置よりさらに後側の−１の位置とされているグルーブＧ−１が形成されている。Ｐ３ａの参照符号を付した部分がトラッキングマークＰ２の長さを変化させた部分を示す。例えばトラックアドレスの”１”に対応してトラッキングマークＰ２が延長部分Ｐ３ａを持ち、トラックアドレスの”０”に対応してトラッキングマークＰ２が延長部分Ｐ３ａを持たないようにされる。
【００４４】
一例として、グルーブの３種類のエッジの位置（１，０，−１）は、互いに１クロック分に相当する長さの差を持つようにされている。また、トラッキングマークＰ２の長さの変化量も１クロック分の長さとされている。１クロック分は、最小の量で、周回方向の冗長度を少なくする上で好ましい量である。但し、２クロック等の他の変化量としても良い。
【００４５】
図９は、偶数トラックの延長上にトラックアドレスの１ビットに対応してトラックアドレスマークＰ３ｂが形成される配置を示している。各ブロックのセグメント番号が８の位置を示すために、データ情報エリアのグルーブのエッジが０の位置よりさらに後側の−１の位置とされている。アドレスマークＰ３ｂは、例えば１クロック分の長さとされ、上述した奇数トラックのトラッキングマークＰ２の延長量と等しい長さとされる。例えばトラックアドレスの”１”に対応してアドレスマークＰ３ｂが形成され、トラックアドレスの”０”に対応してアドレスマークＰ３ｂが形成されないようにされる。
【００４６】
上述したように、トラックアドレスは、１５ビット長とされており、１つのトラックアドレスを記録するために、１５ブロック（＝１２０セグメント）が必要とされる。例えば１つのトラックアドレスが記録される１５ブロックでは、奇数トラックに奇数トラックのトラックアドレスを記録し、次の１５ブロックでは、偶数トラックのトラックアドレスを偶数トラックに記録する。このように、奇数トラックと偶数トラックに交互にトラックアドレスが記録される。１周で、奇数トラックのトラックアドレスと、偶数トラックのトラックアドレスとのそれぞれが約７回繰り返される。
【００４７】
上述したセグメントアドレス情報およびトラックアドレス情報は、サーボ情報エリアの戻り光量の和信号レベルをサンプルホールドすることにより、”０”または”１”の値に変換される。以上のように、グルーブエッジの位置の変化によってセグメントアドレスが記録され、トラッキングマークの長さの変化によってトラックアドレスが記録されるので、アドレス情報を記録することによって、周回方向の記録密度が低下することを防止できる。
【００４８】
なお、セグメントアドレス情報は、前側のデータ情報エリアのグルーブの後側エッジの位置を変化させることによって記録するようにしても良い。
【００４９】
次に、この発明による光ディスクを使用する光ディスク装置の一例について図１０を参照して説明する。図１０において、参照符号１１が光ディスク１０を回転させるためのスピンドルモータである。図１０は、主として再生時の装置の構成を示している。記録時には、光ディスク１０に対し、光学ヘッドによりレーザ光を照射した状態で記録データに応じた変調磁界を磁気ヘッド１２により印加することによって、光磁気ディスク１０のトラックに対してデータが記録される。磁気ヘッド１２は、磁気ヘッド駆動回路１３からの記録データに応じて駆動信号によって駆動される。再生時には、光学ヘッドによりレーザ光でトラックをトレースすることによって、データが再生される。
【００５０】
参照符号１４がレーザ駆動回路を示し、レーザ駆動回路１４によってレーザ光源１５例えば半導体レーザが駆動され、所定の波長のレーザ光がレーザ光源１５から出力される。レーザ光源１５からのレーザ光がコリメータレンズ１６によって平行光に変換され、ビームスプリッタ１７および対物レンズ１８を介して光ディスク１０上に照射される。光ディスク１０からの戻り光がビームスプリッタ１７からビームスプリッタ１９に導かれる。
【００５１】
ビームスプリッタ１９は、ビームスプリッタ１７からの戻り光を二つの光路に分岐し、各光路からのレーザ光が４分割されたフォトディテクタ２０および２１のそれぞれの受光面に集光レンズを介して入射される。フォトディテクタ２０および２１のそれぞれの出力がＩ（電流）Ｖ（電圧）変換回路２２を介してマトリックス回路２３に供給される。マトリックス回路２３において、フォトディテクタ２０および２１のそれぞれの分割受光部の出力信号が演算される。
【００５２】
例えば非点収差法によりフォーカスエラーを検出し、フォーカスエラー信号ＦＥが形成される。また、マトリックス回路２３で求められたＭＯ信号がデータ検出回路２４に供給され、プッシュプル信号ＰＰがトラッキングエラー生成回路２５に供給される。データ検出回路２４からデータ情報エリアから再生されたデータが得られる。フォーカスエラー信号ＦＥおよびトラッキングエラー信号が位相補償回路２６に供給される。
【００５３】
位相補償回路２６は、サーボ系の位相補償のために設けられている。位相補償回路２６の出力が２軸駆動回路２７に供給される。対物レンズ１８は、ディスク径方向（すなわち、トラッキング方向）とディスクの信号面に対して直交して上下する方向（すなわち、フォーカス方向）とに変位可能とされている。２軸駆動回路２７は、レンズアクチュエータ（図示せず）を駆動して、トラッキングエラーの補正とフォーカスエラーの補正とを行う。さらに、図示しないが、スピンドルモータ１１を制御するスピンドルモータサーボ制御回路、並びに光学ヘッドのディスク径方向の移動を制御するスレッドサーボ制御回路が設けられている。
【００５４】
また、マトリックス回路２３で形成されたＲＦ（和）信号がエリア検出回路２８およびアドレス検出回路３１に供給される。エリア検出回路２８は、サーボ情報エリアを検出し、サーボ情報エリアで得られた和信号をＰＬＬ（Ｐｈａｓｅ  ＬｏｃｋｅｄＬｏｏｐ  ）回路２９に供給する。ＰＬＬ回路２９が再生信号と同期したクロック信号を生成する。クロック信号がサンプルホールドタイミング生成回路３０に供給される。
【００５５】
サンプルホールドタイミング生成回路３０の出力がトラッキングエラー生成回路２５およびアドレス検出回路３１にサンプルホールドのタイミングパルスとして供給される。トラッキングエラー生成回路２５では、トラッキングエラーを検出するのに必要な所定のタイミングでサーボ情報エリア内のプッシュプル信号または和信号がサンプルホールドされる。アドレス検出回路３１では、サーボ情報エリア内のセグメントアドレス情報およびトラックアドレス情報を検出するのに必要なタイミングで和信号がサンプルホールドされる。アドレス検出回路３１では、サンプルホールド出力に基づいてセグメントアドレス情報およびトラックアドレス情報が復号され、これらのアドレス情報が図示しないシステムコントローラに対して供給される。
【００５６】
システムコントローラは、アドレス情報に基づいて、光学ヘッドおよび磁気ヘッド１２がトレースしている記録トラック上の記録位置や再生位置を管理する。また、システムコントローラには、キー入力操作部や表示部が接続され、キー入力操作部による操作入力情報により指定される動作モードで記録系及び再生系の制御を行う。
【００５７】
上述した一実施形態では、セグメントアドレス情報が記録されるサーボ情報エリアとトラックアドレス情報が記録されるサーボ情報エリアとを分離している。しかしながら、これらのアドレス情報を共通のサーボ情報エリアに記録しても良い。図１１は、その場合の配置例を示し、例えば偶数トラックの延長線上にトラックアドレスマークＰ３ｂが記録されている。セグメントアドレスは、グルーブのエッジ位置の変化として記録されるが、例えば０および−１の位置の変化として記録される。図示しないが、奇数トラックの延長線上のトラッキングマークの長さを変化させるサーボ情報エリアに対しても、同様の方法でセグメントアドレス情報が記録される。
【００５８】
この発明は、上述したこの発明の一実施形態等に限定されるものではなく、この発明の要旨を逸脱しない範囲内で様々な変形や応用が可能である。例えば図２に示すように、図１に示す配置のトラッキングマークを全体としてディスク径方向にＴｐ／２ずらした配置のサーボ情報エリアに対してこの発明を適用しても良い。
【００５９】
【発明の効果】
この発明では、データエリアの先頭あるいは後端のグルーブのエッジ位置によって周回方向の分割単位例えばセグメントの位置情報が予め記録されている。したがって、アドレスマークの前後にミラー部を配置するのと異なり、周回方向の記録密度を向上できる。また、トラッキングマークの長さを変化させることによってトラックアドレス情報が記録されるので、トラックアドレス情報のマークの前後にミラー部を配置するのと異なり、周回方向の記録密度を向上できる。また、この発明では、セグメントアドレス情報が記録される位置と、トラックアドレス情報が記録される位置とが分離されているので、アドレス検出の信頼性を向上させることが可能であり、また、同一のサーボ情報エリア内にセグメントアドレスおよびトラックアドレスの両者を記録することが可能となる。
【図面の簡単な説明】
【図１】従来の光ディスクのサーボ情報エリアの配置の一例を示す略線図である。
【図２】従来の光ディスクのサーボ情報エリアの配置の他の例を示す略線図である。
【図３】トラッキング検出用のプッシュプル信号の一例を示す略線図である。
【図４】トラッキング検出用の和信号の一例を示す略線図である。
【図５】従来のサーボ情報エリアに対するアドレス情報の記録方法を説明するための略線図である。
【図６】この発明の一実施形態の光ディスクにおけるデータ構造を説明するための略線図である。
【図７】この発明の一実施形態におけるサーボ情報エリアのトラッキングマークおよびアドレスマークの配置を示す略線図である。
【図８】この発明の一実施形態におけるサーボ情報エリアのトラッキングマークおよびアドレスマークの配置を示す略線図である。
【図９】この発明の一実施形態におけるサーボ情報エリアのトラッキングマークおよびアドレスマークの配置を示す略線図である。
【図１０】この発明による光ディスクの記録再生装置の一例のブロック図である。
【図１１】この発明の他の実施形態におけるサーボ情報エリアのトラッキングマークおよびアドレスマークの配置を示す略線図である。
【符号の説明】
１０・・・光ディスク、１２・・・磁気ヘッド、１５・・・レーザ光源、２０，２１・・・フォトディテクタ、２３・・・マトリックス回路、２４・・・データ検出回路、２５・・・トラッキングエラー生成回路、３１・・・アドレス検出回路、Ｐ１，Ｐ２・・・トラッキングマーク、Ｐ３ａ，Ｐ３ｂ・・・トラックアドレスを表すマーク、Ｇ１，Ｇ０・・・セグメントアドレスを表すエッジ変化を持つグルーブ、Ｇ−１・・・トラックアドレスが記録されるセグメントのサーボ情報エリアを表すグルーブ
【図１】
2004213822.tif 000003
【図２】
2004213822.tif 000004
【図３】
2004213822.tif 000005
【図４】
2004213822.tif 000006
【図５】
2004213822.tif 000007
【図６】
2004213822.tif 000008
【図７】
2004213822.tif 000009
【図８】
2004213822.tif 000010
【図９】
2004213822.tif 000011
【図１０】
2004213822.tif 000012
【図１１】
2004213822.tif 000013